(57)【要約】【課題】非接触ＩＣカードのリードライト部が設けられた紙幣識別装置は、奥行きが厚くなり、紙幣識別装置の薄型化ができなかった。【解決手段】非接触ＩＣカード２２のリードライト部は、紙幣及び非接触ＩＣカードとの共用挿入口２３と、この共用挿入口２３に連結されるとともに、直線状に設けられた第２の通路と、この第２の通路の壁面に設けられた非接触ＩＣカード２２の検出用アンテナ３２と、この検出用アンテナ３２に接続されたリーダライタ回路３３とからなり、前記第２の通路の長さ３５を、非接触ＩＣカード２２の挿入方向側の長さより短くし、前記第２の通路の終端が当接する本体部２６に非接触ＩＣカード２２の先端が突出可能なスリット３８を設ける。これにより、紙幣識別装置の薄型化を図ることができる。【選択図】図２
2005135066.tif 000002
【特許請求の範囲】
【請求項１】
紙幣識別部と非接触ＩＣカードのリードライト部が設けられた紙幣識別装置であって、前記紙幣識別部は、紙幣用挿入口と、この紙幣用挿入口に連結して設けられた第１の通路と、この第１の通路の壁面に設けられた紙幣識別センサと、この紙幣識別センサに接続された紙幣識別回路とを有し、前記リードライト部は、前記非接触ＩＣカード用挿入口と、この非接触ＩＣカード用挿入口に連結されるとともに直線状に設けられた第２の通路と、この第２の通路の壁面に設けられた非接触ＩＣカードの検出用アンテナと、この検出用アンテナに接続されたリーダライタ回路とから成り、前記第２の通路の長さを、非接触ＩＣカードの挿入方向側の長さより短くし、前記第２の通路の終端が当接する本体部に前記非接触ＩＣカードの先端が突出可能なスリットが設けられた紙幣識別装置。
【請求項２】
非接触ＩＣカードの挿入完了時にスリットから突出した前記非接触ＩＣカードを収納するとともに、挿入口側に付勢されたスライドカバーが設けられた請求項１に記載の紙幣識別装置。
【発明の詳細な説明】
【技術分野】
【０００１】
本発明は、紙幣識別装置に係り、さらに詳しくは、非接触ＩＣカードのリードライトも併せて行う紙幣識別装置の薄型化に関するものである。
【背景技術】
【０００２】
従来の非接触ＩＣカード用リーダライタを有する紙幣識別装置１（以下、紙幣識別装置という。）は、以下に示す構成をしていた。すなわち、図４において、紙幣識別装置１の本体部は、フロントパネル部２と、このフロントパネル部２が装着される本体部３とで構成されていた。この紙幣識別装置１の本体部内には、図５に示すように紙幣識別部、非接触ＩＣカード９のリードライト部が収納されていた。紙幣識別部は、紙幣４が挿入される挿入口５と、この挿入口５に連結して設けられた第１の通路６と、この第１の通路６の壁面に設けられた紙幣識別センサ７と、この紙幣識別センサ７に接続された紙幣識別回路８と、第１の通路６の終端に設けられた紙幣収納部１５とで構成されていた。
【０００３】
この紙幣識別装置の搭載された自動販売機により、一度に何本もの商品購入時や長い調理時間を要する商品購入時には、利用者が非接触ＩＣカード９をリードライト部に手で保持しておく必要があり大変であった。このため、非接触ＩＣカード９を一時的に固定しておくために、以下のような構成となっていた。
【０００４】
すなわち、非接触ＩＣカード９が挿入される挿入口１０と、この挿入口１０に連結して設けられるとともに、非接触ＩＣカード９の略３分の１が挿入される第２の通路１１と、この第２の通路１１の壁面に設けられた非接触ＩＣカード９を検出するための検出用アンテナ１２と、この検出用アンテナ１２が接続されたリーダライタ回路１３とで構成されていた。また、紙幣識別回路８とリーダライタ回路１３とは、制御部８ａで共通して制御されていた。
【０００５】
なお、この出願の発明に関連する先行技術文献情報としては、例えば、特許文献１が知られている。
【特許文献１】特開２０００−３０１１６号公報
【発明の開示】
【発明が解決しようとする課題】
【０００６】
しかしながら、このような従来の紙幣識別装置では、商品購買のために非接触ＩＣカードを挿入口１０に挿入した場合、以下のような問題があった。すなわち、非接触ＩＣカード９は、略３分の１しか挿入できないために挿入口１０から突出してしまう。このことにより、非接触ＩＣカード９が挿入口１０側からの利用者等の不注意によって破損したり、あるいは盗難に遭う恐れがあった。
【０００７】
そこで、紙幣識別装置１内に、非接触ＩＣカード９全体を挿入して挿入口１０から突出しないようにすることも考えられる。しかし、この方法では、紙幣識別装置１の厚みが、非接触ＩＣカード９の長さより厚くなってしまうという問題があった。
【０００８】
本発明は、この問題を解決したもので、紙幣識別装置の薄型化を図ることを目的とするものである。
【課題を解決するための手段】
【０００９】
この目的を達成するために、本発明の紙幣識別装置は、非接触ＩＣカードの通路である第２の通路の長さを、非接触ＩＣカードの挿入方向側の長さより短くし、第２の通路の終端が当接する本体部に非接触ＩＣカードの先端が突出可能なスリットを設けたものである。これにより、紙幣識別装置の薄型化を図ることができる。
【００１０】
本発明の請求項１に記載の発明は、紙幣識別部と非接触ＩＣカードのリードライト部が設けられた紙幣識別装置であって、前記紙幣識別部は、紙幣用挿入口と、この紙幣用挿入口に連結して設けられた第１の通路と、この第１の通路の壁面に設けられた紙幣識別センサと、この紙幣識別センサに接続された紙幣識別回路とを有し、前記リードライト部は、前記非接触ＩＣカード用挿入口と、この非接触ＩＣカード用挿入口に連結されるとともに直線状に設けられた第２の通路と、この第２の通路の壁面に設けられた非接触ＩＣカードの検出用アンテナと、この検出用アンテナに接続されたリーダライタ回路とから成り、第２の通路の長さを、非接触ＩＣカードの挿入方向側の長さより短くし、前記第２の通路の終端が当接する本体部に前記非接触ＩＣカードの先端が突出可能なスリットが設けられた紙幣識別装置である。
【００１１】
以上により、非接触ＩＣカードを挿入したときに、非接触ＩＣカードの通路である第２の通路の終端が当接する本体部に、前記非接触ＩＣカードの先端が突出可能なスリットが設けられており、非接触ＩＣカードをスリットから突出させることができる。従って、紙幣識別装置の厚みを、非接触ＩＣカードの挿入方向の長さより薄くすることができる。
【００１２】
また、非接触ＩＣカードの全体を共用挿入口から突出しないように完全に挿入できるので、非接触ＩＣカードに対してたとえ不注意による挿入口側からの衝撃が加わったとしても、非接触ＩＣカードを保護することができる。
【００１３】
本発明の請求項２に記載の発明は、非接触ＩＣカードの挿入完了時にスリットから突出した前記非接触ＩＣカードを収納するとともに、挿入口側に付勢されたスライドカバーが設けられた請求項１に記載の紙幣識別装置である。
【００１４】
以上のように、非接触ＩＣカードを挿入したときに、非接触ＩＣカードの先端部は、その非接触ＩＣカードの挿入に合わせてスライドカバーを設けてあるので、非接触ＩＣカードに対してスリット側からの不注意による損傷が加わりにくくなる。これにより、組み立て時、検査時において非接触ＩＣカードを保護できるので、生産性が向上する。
【００１５】
また、スライドカバーは、挿入口側に付勢されているので、非接触ＩＣカードへのリードライトが終了したとき、自動的に挿入口へ排出させることができる。
【発明の効果】
【００１６】
以上のように本発明によれば、非接触ＩＣカードを挿入したときに、非接触ＩＣカードの通路である第２の通路の終端が当接する本体部に、前記非接触ＩＣカードの先端が突出可能なスリットが設けられており、非接触ＩＣカードをスリットから突出させることができる。従って、紙幣識別装置の厚みを、非接触ＩＣカードの挿入方向の長さより薄くすることができる。
【００１７】
また、このように紙幣識別装置の厚みを薄くしたにもかかわらず、非接触ＩＣカードの全体を共用挿入口から突出しないように完全に挿入できるので、非接触ＩＣカードに対してたとえ不注意による挿入口側からの衝撃が加わったとしても、非接触ＩＣカードを保護することができる。
【発明を実施するための最良の形態】
【００１８】
（実施の形態１）
図１は、本発明の実施の形態１における紙幣識別装置の斜視図である。また図２は、本発明の実施の形態１における紙幣識別装置の断面図である。
【００１９】
図１において、紙幣識別装置２４は、フロントパネル部２５と、このフロントパネル部２５が装着された本体部２６とで構成されている。さらに、この紙幣識別装置２４には、紙幣識別部とリードライト部が収納されている。また、フロントパネル部２５には、紙幣２１あるいは非接触ＩＣカード２２が挿入される挿入口として、一つに共用化された共用挿入口２３が設けられている。
【００２０】
先ず、紙幣識別部の構成について図２を用いて説明する。紙幣識別部は、紙幣２１が挿入される共用挿入口２３と、この共用挿入口に連結された共用通路２７ａとを有している。なお、この共用挿入口には、紙幣２１の他に非接触ＩＣカード２２も挿入される。また、共用通路２７ａは、非接触ＩＣカード２２の通路と共用されるものである。
【００２１】
この共用通路２７ａに連結して、逆Ｕ字部を有する紙幣２１専用の通路２７ｂが設けられている。この通路２７ｂの壁面には、紙幣識別センサ２８が設けられている。また、この紙幣識別センサ２８には、紙幣識別回路２９が接続されている。さらに、通路２７ｂの終端には、紙幣２１の収納される紙幣収納部３１が連結されている。ここで、紙幣２１と非接触ＩＣカード２２の共用の通路である共用通路２７ａと、紙幣２１の専用通路である通路２７ｂを第１の通路としている。
【００２２】
次に、非接触ＩＣカード２２のリードライト部の構成について、図２を用いて説明する。なお図２では、非接触ＩＣカード２２が共用挿入口２３から挿入された状態を示している。この共用挿入口２３と共用通路２７ａと通路２７ｃと通路２７ｄは、一直線状に設けられており、非接触ＩＣカード２２の挿入される第２の通路を形成している。
【００２３】
そして、この第２の通路の長さ３５は、非接触ＩＣカード２２の通路であり、非接触ＩＣカード２２の挿入方向側の長さより短くしている。また、非接触ＩＣカード２２の通路の終端が当接する本体部２６には、スリット３８が設けられている。
【００２４】
また、共用通路２７ａの壁面には、非接触ＩＣカード２２の検出用アンテナ３２がループ状あるいは巻線状で形成されている。この検出用アンテナ３２には、リーダライタ回路３３が接続されている。さらに、このリーダライタ回路３３と紙幣識別回路２９は、制御部３４により制御されている。また、共用通路２７ａには、共用挿入口２３に近接して制御部２２ａを有するストッパ部２２ｂが設けられている。以上のように構成された紙幣識別装置２４は、自動販売機に搭載することができる。
【００２５】
この紙幣識別装置２４について、以下にその動作を説明する。まず紙幣識別部について説明する。紙幣２１が共用挿入口２３から挿入される。この紙幣２１の通路である共用通路２７ａ、通路２７ｂのそれぞれには、紙幣２１の両端に対応させて、紙幣２１を搬送する紙幣搬送用ローラが設けられている。
【００２６】
これにより、共用挿入口２３に挿入された紙幣２１は、共用通路２７ａ、通路２７ｂを搬送されて、通路２７ｂの壁面に設けられた紙幣識別センサ２８に導かれ、紙幣識別回路２９により、真偽が判定される。
【００２７】
ここで、紙幣識別センサ２８は、フォトセンサと磁気センサ２８ｃとから成り、このフォトセンサは、発光部２８ａ、受光部２８ｂとで構成されている。磁気センサ２８ｃでは、磁気ヘッドを用いて、紙幣２１に印刷された磁気量の変化を検出する。フォトセンサでは、発光部２８ａと受光部２８ｂを用い、この発光部２８ａと受光部２８ｂの間に挿入された紙幣２１を通過する光の量を検出する。
【００２８】
このとき、受光部２８ｂは、紙幣識別回路２９側に設けられることにより、受光部２８ｂと紙幣識別回路２９の接続を最短にできる。これにより、紙幣識別装置２４の外部からの電気ノイズや制御部３４からの電気ノイズ等の影響を受け難くできる。ここで、発光部２８ａ、受光部２８ｂは、それぞれ受光部、発光部として入れ替えて用いてもよい。
【００２９】
また、発光部２８ａと受光部２８ｂには、反射型の紙幣識別センサを用いてもよく、この場合には、発光部２８ａと受光部２８ｂを近接して配置できるので、より小型化を実現することができる。
【００３０】
このようにして、紙幣２１の特徴が検出される。この特徴抽出の結果、紙幣２１が真紙幣の場合には、制御部３４により制御されて、正貨信号が出力される。さらに、紙幣２１は、紙幣収納部３１に収納される。
【００３１】
次に、非接触ＩＣカード２２のリードライト部の動作について図２を用いて説明する。ここで、ストッパ部２２ｂに非接触ＩＣカード２２が当接する点から非接触ＩＣカード２２の通路の終端２７ｅまでの長さを第２の通路の長さ３５としている。この第２の通路の長さ３５は、非接触ＩＣカード２２の通路であり、非接触ＩＣカード２２の挿入方向側の長さより短くしている。そして、非接触ＩＣカード２２の先端が紙幣識別装置２４の本体部２６より突出可能なように、スリット３８が設けられている。
【００３２】
まず、非接触ＩＣカード２２が挿入される前には、制御部３４および制御部２２ａによりストッパ部２２ｂは、押し上げられている。次に、非接触ＩＣカード２２が共用挿入口２３から挿入されると、共用挿入口２３より挿入された非接触ＩＣカード２２は、その先端部が、スリット３８から突出することになり、共用挿入口２３に完全に挿入できる。
【００３３】
つまり、非接触ＩＣカード２２の通路である第２の通路の終端が当接する本体部２６に、非接触ＩＣカード２２の先端が突出可能なスリット３８が設けられているので、非接触ＩＣカード２２全体を共用挿入口２３から突出しないように完全に挿入できるので、薄型の紙幣識別装置が実現できる。
【００３４】
次に、非接触ＩＣカード２２は、共用挿入口２３に完全に挿入されると、制御部３４および制御部２２ａによりストッパ部２２ｂが押し下げられて、取り出しが禁止される。
【００３５】
このとき、非接触ＩＣカード２２に内蔵されたアンテナは、非接触ＩＣカード２２の検出用アンテナ３２に対向して、互いに電磁誘導結合の状態となって、データの送受信が行われる。このデータの送受信には、リーダライタ回路３３においてデジタル変調あるいはデジタル復調された周波数１３．５６ＭＨｚの信号が用いられる。
【００３６】
そして、非接触ＩＣカード２２の検出用アンテナ３２およびリーダライタ回路３３が、制御部３４により制御される。これにより、非接触ＩＣカード２２のＩＣカード会社情報および残金に関する情報が検出される。さらに、購入商品の金額に応じて、非接触ＩＣカード２２が決済されることになる。その後、決済処理が終了すると、制御部３４および制御部２２ａによりストッパ部２２ｂが解除される。そして、非接触ＩＣカード２２は、第２の通路に設けられた非接触ＩＣカード２２を搬送する搬送用ローラ等によって、共用挿入口２３から返却されることになる。
【００３７】
以上のように、ストッパ部２２ｂを設けることにより、一度に何本もの商品購入時や、長い調理時間を要する商品購入時には、その決済が終了するまで非接触ＩＣカード２２が共用挿入口２３に挿入された状態を保持できる。さらに、商品の払い出しが完了する前に、非接触ＩＣカード２２が通信可能エリア外に出ることを防止できるので、決済処理ができなくなる不具合を防止できる。
【００３８】
（実施の形態２）
図３は、本発明の実施の形態２における紙幣識別装置の断面図である。なお図３で使用した符号について、図２と同じものについては同一の番号を付してその説明を簡略化している。実施の形態２では、非接触ＩＣカード２２の挿入により、スリット４４から突出する非接触ＩＣカード２２を保護するスライドカバー４５ａが設けられている点が、実施の形態１と異なっている。
【００３９】
この紙幣識別装置の構成について、図３を用いて説明する。４１は、紙幣識別装置であり、この紙幣識別装置４１は、フロントパネル部４２と、このフロントパネル部４２が装着された本体部４３で構成されている。さらに、この紙幣識別装置４１には、紙幣識別部、リードライト部が収納されている。また、フロントパネル部４２には、紙幣２１あるいは非接触ＩＣカード２２が挿入される挿入口として、一つに共用化された共用挿入口２３が設けられている。
【００４０】
また、リードライト部には、非接触ＩＣカード２２の通路である第２の通路の終端が当接する本体部４３にスリット４４が設けられており、このスリット４４には、非接触ＩＣカード２２の先端部を収納するスライドカバー４５ａが設けられている。
【００４１】
このスライドカバー４５ａには、本体部４３側へ付勢するための弾性体４６が設けられている。この弾性体４６には、つるまきばね、板ばね、ゴムを用いてもよい。
【００４２】
以上のように構成された非接触ＩＣカード２２のリードライト部の動作について、図３を用いて説明する。
【００４３】
まず、非接触ＩＣカード２２が挿入される前には、スライドカバー４５ａの位置は、弾性体４６によって付勢されて、点線である４５ｂの状態となる。次に、非接触ＩＣカード２２が完全に挿入されると、スライドカバーは、弾性体４６に抗して実線である４５ａの状態となる。
【００４４】
さらに、制御部３４および制御部２２ａによりストッパ部２２ｂが押し下げられ、非接触ＩＣカード２２は取り出しが禁止される。その後、決済処理が終了すると、ストッパ部２２ｂが解除されるので、非接触ＩＣカード２２は、弾性体４６によって付勢されて、共用挿入口２３から返却されることになる。
【００４５】
以上のように、スライドカバー４５ａが設けられることにより、非接触ＩＣカード２２のスリット４４からの突出部には、スリット４４側からの不注意による衝撃が加わりにくいので、組み立て時、検査時において非接触ＩＣカード２２を保護できる。従って、生産性が向上する。
【産業上の利用可能性】
【００４６】
本発明にかかる、紙幣識別装置は、非接触ＩＣカードの通路である第２の通路の終端が当接する本体部に、非接触ＩＣカードの先端が突出可能なスリットを設けている。これにより、紙幣識別装置の薄型化を図ることができるので、非接触ＩＣカードと紙幣の双方が利用できる自動販売機に有用である。
【図面の簡単な説明】
【００４７】
【図１】本発明の実施の形態１における紙幣識別装置の斜視図
【図２】同、紙幣識別装置の断面図
【図３】本発明の実施の形態２における紙幣識別装置の断面図
【図４】従来における紙幣識別装置の斜視図
【図５】同、紙幣識別装置の断面図
【符号の説明】
【００４８】
２２  非接触ＩＣカード
２３  共用挿入口
２４  紙幣識別装置
２７ａ  共用通路
２７ｃ  通路
２７ｄ  通路
２８  紙幣識別センサ
２９  紙幣識別回路
３２  検出用アンテナ
３３  リーダライタ回路
３５  第２の通路の長さ
３８  スリット
【図１】
2005135066.tif 000003
【図２】
2005135066.tif 000004
【図３】
2005135066.tif 000005
【図４】
2005135066.tif 000006
【図５】
2005135066.tif 000007